(57)【要約】【課題】  身体を暖め、全身の血行を良くする足もしくは腰湯による健康法の提供と、背圧マットロール等により背骨を伸ばし、背骨を矯正する背骨ストレッチング椅子具を提供する。【解決手段】  湯浸台本体に下支え固定台部と支え金具部および後ろ支え部に座椅子固定台を固定するように設け、座椅子固定台の上部にストレッチング座椅子を設け、ストレッチング座椅子の後部面左右に背圧ロール支え部を設け、ロール支え棒を通した背圧マットロールとうを装着した事を特徴とする「足・腰」漬け湯健康湯浸台付き背骨ストレッチング座椅子具である。【選択図】図１
0003128485.tif 000002
【実用新案登録請求の範囲】
【請求項１】
湯浸台本体に座椅子固定台を固定する下支え固定台部と上押え固定部および後ろ支え部を設け、湯浸台本体前部にを備えた足上げ踏み台を設け、湯浸台本体の先端上部に予備マットロールを備え置ける予備マット受け部を備えたテーブル台を設け、座椅子固定台の上部にストレッチング座椅子を設け、ストレッチング座椅子の後部背面に背圧ロール支え部を左右に設け、ロール支え棒を挿通した背圧マットロールを上下に設け、ストレッチング座椅子の全面部に設けた太腿受け着脱板を支える受け部を左右に設け、ストレッチング座椅子の後部背面に設けた背圧ロール支え部の背面部に嵌脱スペースを設け、挿し換え背圧マットに備えたマット挿し板部を挿し込めるように設け、使用する人の体形等に合わせて、使用出来るように設け、座椅子に座り足及び腰迄を湯に付け身体の血行を良くし、背圧マットローラー等により、軽少な運動動作により背骨を伸ばし、容易に背骨矯正することが出来ることを特徴とする「足・腰」漬け湯健康湯浸台付き背骨ストレッチング座椅子具。
【請求項２】
ストレッチング座椅子の後部背面にハンド・マッサー取付け部を設け後部背面の後部面にハンドル固定部を設けハンド・マッサー取付け部正面両側面にハンド・マッサー本体支え柱部設け、ロール支え棒と背圧マットロールもしくは挿し換え背圧マットを外しハンド・マッサー取付け部にスイッチと振動部を設けたハンド・マッサ−本体を設け、容易に背骨矯正マッサーすることが出来ることを特徴とする「足・腰」漬け湯健康湯浸台付き背骨ストレッチング座椅子具。
【考案の詳細な説明】
【技術分野】
【０００１】  本考案は、身体を暖め、全身の血行を良くする足・腰湯による健康法のためと、背圧マットローラーにより背骨を伸ばし、背骨を矯正する足・腰湯健康用と背骨ストレッチングに関するものである。
【背景技術】
【０００２】  従来、足・腰湯の使用においては足湯単独使用効果を目的とした浴槽や足を刺激する装置を備えた電気式と併用した足湯で体を暖めていた。また背骨伸ばしも様々な形状製品等があるが、単体器具での効果と使用器具体で背骨を伸ばしていた。
【考案の開示】
【考案が解決しようとする課題】
【０００３】  その為に次のような問題点があった。
足湯は温泉街の排出湯を利用した所に町のピーアールを兼ねて固定した足湯場を設けて体験をする事ができたが、温泉を売り物にしている温泉旅館等の中では足湯体験ができることはなかった。また電気ヒーターや循環機能にマッサージ付きのジェットや赤外線ヒータつきなどの人工的大掛かりな足湯浴槽はあるが高価なため、足を暖めるのみの宣伝では購入するにあたっても、台数をそろえることも小規模な温泉旅館等では難しく、足湯の効果を利用して効果的な背骨矯正を行えるものはなかった。また腰湯から血行を良くするものは無かった、本考案は以上の問題点を解決する為になされたものである。
【課題を解決するための手段】
【０００４】  本考案は、身体を暖め、全身の血行を良くする足湯もしくは腰湯による健康法と背骨の歪みからくる原因不明の腰椎の痛みや肩凝りや首回りの硬直した身体の痛みなど現代病の多くが背骨の歪みから来ている事が多いといわれ、背骨を真直ぐにすることは大変健康維持において大切である、足湯もしくは腰湯で身体を暖め血液の循環を高めると同時に背圧マットローラーにより背骨を伸ばし、体の血行を良くし体内が足湯もしくは腰湯で暖まり体が保護れやすくなれば堅い体をむりなく自己運動動作で背骨を矯正することになり、効果を発揮する、また本体は電気式や大掛かりな機械式でない為コストは安く仕上がる、ゆえに、使い方も湯槽に簡単に設ける事ができその効果も足湯もしくは腰湯による体を暖め、全身の血行を良くし体内の老廃物代謝を高め、発汗作用により体内の不純物も排出されやすくなるなどの湯健康法の効果を発揮しながら、背骨の矯正を同時に備えることにより問題点を解決している「足・腰」漬け湯健康湯浸台付き背骨ストレッチング座椅子具である。
【考案の効果】
【０００５】  上述の様に、足湯もしくは腰湯で身体を暖め血液の循環を高めると同時に背圧マットローラーにより背骨を伸ばし、体の血行を良くし体内が足湯もしくは腰湯で暖まり体が保護れやすくなれば堅い体をむりなく軽い自己運動動作で背骨を矯正することになり背骨ストレッチング効果を発揮出来健康効果得ることができる。
【考案を実施するための最良の形態】
【０００６】  以下本考案の実施の形態について説明する。
（イ）湯浸台本体（１）に座椅子固定台（９）を固定する下支え固定台部（２）（２）と上押え固定部（２）（２）および後ろ支え部（４）を設ける。
（ロ）湯浸台本体（１）前部にを備えた足上げ踏み台（５）を設け、湯浸台本体（１）の先端上部に予備マットロール（８）を備え置ける予備マット受け部（７）（７）を備えたテーブル台（６）を設ける。
（ハ）座椅子固定台（１０）の上部にストレッチング座椅子（９）を設け、ストレッチング座椅子（９）の後部背面に背圧ロール支え部（１１）（１１）を左右に設け、ロール支え棒（１３）（１３）を挿通した背圧マットロール（１２）（１２）を上下に設け、ストレッチング座椅子（９）の全面部に設けた太腿受け着脱板（１８）を支える受け部（１７）（１７）を左右に設け、ストレッチング座椅子（９）の後部背面に設けた背圧ロール支え部（１１）（１１）の背面部に嵌脱スペース（１４）（１４）を設け、挿し換え背圧マット（１５）に備えたマット挿し板部（１６）（１６）を挿し込めるように設ける。
本考案は、以上の構造でこれを使用するときは、ストレッチング座椅子（９）に座り足もしくは腰迄を湯に漬け、背圧マットローラー（１２）（１２）等により背骨を矯正し身体の血行を良くしながら背骨ストレッチングを行う。
（二）ストレッチング座椅子（９）の後部背面にハンド・マッサー取付け部（２１）を設け後部背面の後部面にハンドル固定部（２２）を設けハンド・マッサー取付け部（２１）正面両側面にハンド・マッサー本体支え柱部（２３）設け、ロール支え棒（１３）（１３）と背圧マットロール（１２）（１２）もしくは挿し換え背圧マット（１５）を外しハンド・マッサー取付け部（２１）にスイッチ（２５）と振動部（２６）を設けたハンド・マッサー本体（２４）を設け、容易に背骨矯正マッサーすることが出来ることを特徴とする「足・腰」漬け湯健康湯浸台付き背骨ストレッチング座椅子具。
【図面の簡単な説明】
【０００７】
【図１】  本考案の斜視図
【図２】  本考案の湯水浸台を示す斜視図
【図３】  本考案の使用状態を示す斜視図
【図４】  本考案の別使用状態を示す背面斜視図
【図５】  本考案の別使用状態を示す正面部分斜視図
【図６】  本考案の別使用状態を示す参考斜視図
【符号の説明】
【０００８】１  湯浸台本体
２  下支え固定台部
３  上押え固定部
４  後ろ支え部
５  足上げ踏み台
６  テーブル台
７  予備マット受け部
８  予備マットロール
９  ストレッチング座椅子
１０  座椅子固定台
１１  背圧ロール支え部
１２  背圧マットロール
１３  ロール支え棒
１４  嵌脱スペース
１５  挿し換え背圧マット
１６  マット挿し板部
１７  受け部
１８  太腿受け着脱板
１９  浴槽
２０  湯
２１  ハンド・マッサー取付け部
２２  ハンドル固定部
２３  ハンド・マッサー本体支え柱部
２４  ハンド・マッサー本体
２５  スイッチ
２６  振動部
【図１】
0003128485.tif 000003
【図２】
0003128485.tif 000004
【図３】
0003128485.tif 000005
【図４】
0003128485.tif 000006
【図５】
0003128485.tif 000007
【図６】
0003128485.tif 000008
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
湯浸台本体に座椅子固定台を固定する下支え固定台部と上押え固定部および後ろ支え部を設け、湯浸台本体前部にを備えた足上げ踏み台を設け、湯浸台本体の先端上部に予備マットロールを備え置ける予備マット受け部を備えたテーブル台を設け、座椅子固定台の上部にストレッチング座椅子を設け、ストレッチング座椅子の後部背面に背圧ロール支え部を左右に設け、ロール支え棒を挿通した背圧マットロールを上下に設け、ストレッチング座椅子の全面部に設けた太腿受け着脱板を支える受け部を左右に設け、ストレッチング座椅子の後部背面に設けた背圧ロール支え部の背面部に嵌脱スペースを設け、挿し換え背圧マットに備えたマット挿し板部を挿し込めるように設け、使用する人の体形等に合わせて、使用出来るように設け、座椅子に座り足及び腰迄を湯に付け身体の血行を良くし、背圧マットローラー等により、軽少な運動動作により背骨を伸ばし、容易に背骨矯正することが出来ることを特徴とする「足・腰」漬け湯健康湯浸台付き背骨ストレッチング座椅子具。
【手続補正２】
【補正対象書類名】明細書
【補正対象項目名】全文
【補正方法】変更
【補正の内容】
【考案の詳細な説明】
【技術分野】
【０００１】  本考案は、身体を暖め、全身の血行を良くする足・腰湯による健康法のためと、背圧マットローラーにより背骨を伸ばし、背骨を矯正する足・腰湯健康用と背骨ストレッチングに関するものである。
【背景技術】
【０００２】  従来、足・腰湯の使用においては足湯単独使用効果を目的とした浴槽や足を刺激する装置を備えた電気式と併用した足湯で体を暖めていた。また背骨伸ばしも様々な形状製品等があるが、単体器具での効果と使用器具体で背骨を伸ばしていた。
【考案の開示】
【考案が解決しようとする課題】
【０００３】  その為に次のような問題点があった。  足湯は温泉街の排出湯を利用した所に町のピーアールを兼ねて固定した足湯場を設けて体験をする事ができたが、温泉を売り物にしている温泉旅館等の中では足湯体験ができることはなかった。また電気ヒーターや循環機能にマッサージ付きのジェットや赤外線ヒータつきなどの人工的大掛かりな足湯浴槽はあるが高価なため、足を暖めるのみの宣伝では購入するにあたっても、台数をそろえることも小規模な温泉旅館等では難しく、足湯の効果を利用して効果的な背骨矯正を行えるものはなかった。また腰湯から血行を良くするものは無かった、本考案は以上の問題点を解決する為になされたものである。
【課題を解決するための手段】
【０００４】  本考案は、身体を暖め、全身の血行を良くする足湯もしくは腰湯による健康法と背骨の歪みからくる原因不明の腰椎の痛みや肩凝りや首回りの硬直した身体の痛みなど現代病の多くが背骨の歪みから来ている事が多いといわれ、背骨を真直ぐにすることは大変健康維持において大切である、足湯もしくは腰湯で身体を暖め血液の循環を高めると同時に背圧マットローラーにより背骨を伸ばし、体の血行を良くし体内が足湯もしくは腰湯で暖まり体が保護れやすくなれば堅い体をむりなく自己運動動作で背骨を矯正することになり、効果を発揮する、また本体は電気式や大掛かりな機械式でない為コストは安く仕上がる、ゆえに、使い方も湯槽に簡単に設ける事ができその効果も足湯もしくは腰湯による体を暖め、全身の血行を良くし体内の老廃物代謝を高め、発汗作用により体内の不純物も排出されやすくなるなどの湯健康法の効果を発揮しながら、背骨の矯正を同時に備えることにより問題点を解決している「足・腰」漬け湯健康湯浸台付き背骨ストレッチング座椅子具である。
【考案の効果】
【０００５】  上述の様に、足湯もしくは腰湯で身体を暖め血液の循環を高めると同時に背圧マットローラーにより背骨を伸ばし、体の血行を良くし体内が足湯もしくは腰湯で暖まり体が保護れやすくなれば堅い体をむりなく軽い自己運動動作で背骨を矯正することになり背骨ストレッチング効果を発揮出来健康効果得ることができる。
【考案を実施するための最良の形態】
【０００６】  以下本考案の実施の形態について説明する。  （イ）湯浸台本体（１）に座椅子固定台（９）を固定する下支え固定台部（２）（２）と上押え固定部（２）（２）および後ろ支え部（４）を設ける。  （ロ）湯浸台本体（１）前部にを備えた足上げ踏み台（５）を設け、湯浸台本体（１）の先端上部に予備マットロール（８）を備え置ける予備マット受け部（７）（７）を備えたテーブル台（６）を設ける。  （ハ）座椅子固定台（１０）の上部にストレッチング座椅子（９）を設け、ストレッチング座椅子（９）の後部背面に背圧ロール支え部（１１）（１１）を左右に設け、ロール支え棒（１３）（１３）を挿通した背圧マットロール（１２）（１２）を上下に設け、ストレッチング座椅子（９）の全面部に設けた太腿受け着脱板（１８）を支える受け部（１７）（１７）を左右に設け、ストレッチング座椅子（９）の後部背面に設けた背圧ロール支え部（１１）（１１）の背面部に嵌脱スペース（１４）（１４）を設け、挿し換え背圧マット（１５）に備えたマット挿し板部（１６）（１６）を挿し込めるように設ける。  本考案は、以上の構造でこれを使用するときは、ストレッチング座椅（９）に座り足もしくは腰迄を湯に漬け、背圧マットローラー（１２）（１２）等により背骨を矯正し身体の血行を良くしながら背骨ストレッチングをすることが出来ることを特徴とする「足・腰」漬け湯健康湯浸台付き背骨ストレッチング座椅子具。
【図面の簡単な説明】
【０００７】
【図１】本考案の斜視図
【図２】本考案の湯水浸台を示す斜視図
【図３】本考案の使用状態を示す斜視図
【符号の説明】
【０００８】    １  湯浸台本体    ２  下支え固定台部    ３  上押え固定部    ４  後ろ支え部    ５  足上げ踏み台    ６  テーブル台    ７  予備マット受け部    ８  予備マットロール    ９  ストレッチング座椅子  １０  座椅子固定台  １１  背圧ロール支え部  １２  背圧マットロール  １３  ロール支え棒  １４  嵌脱スペース  １５  挿し換え背圧マット  １６  マット挿し板部  １７  受け部  １８  太腿受け着脱板  １９  浴槽  ２０  湯
【手続補正３】
【補正対象書類名】図面
【補正対象項目名】図４  図５  図６
【補正方法】削除
【補正の内容】